(57)【要約】【課題】切断中に捕獲した切り屑を切断終了時に離散させることなく確実かつ容易に外部に取り出すことができる不断水切断装置における切り屑回収装置を提供する。【解決手段】給水本管Ｐを、密封ハウジング１で覆って不断水状態でこの流体管Ｐを円筒状カッターＣで切断する切り屑回収装置であって、給水本管Ｐ切断終了時に位置する円筒状カッターＣが、その先端近傍部で、密封ハウジング１に配置した切り屑用受け皿１０を保持するように構成することで、給水本管Ｐ切断終了時に円筒状カッターＣを取り出すと、切断中に切り屑用受け皿１０内に捕獲した切り屑を、離散させることなく外部に取り出すことができる。【選択図】　図１
2004036729.tif 000002
【特許請求の範囲】
【請求項１】
流体管を密封ハウジングで覆って不断水状態で該流体管を円筒状カッターで切断する不断水切断装置における切り屑回収装置であって、
前記流体管切断終了時に位置する前記円筒状カッターが、その先端近傍部で、前記密封ハウジングに配置した切り屑用受け皿を保持することを特徴とする不断水切断装置における切り屑回収装置。
【請求項２】
前記切り屑用受け皿は、前記密封ハウジング底面に対し略水平方向に不動に載置されている請求項１に記載の不断水切断装置における切り屑回収装置。
【請求項３】
前記切り屑用受け皿は、少なくとも切断終了後は該円筒内面より中心方向に向かって突出する少なくとも２本以上の保持片で保持される請求項１または２に記載の不断水切断装置における切り屑回収装置。
【請求項４】
前記切り屑用受け皿は、前記円筒状カッター内周面に形成したリング状溝が、前記切り屑用受け皿の外周面に設けた弾性リング体と係合することで保持される請求項１または２に記載の不断水切断装置における切り屑回収装置。
【請求項５】
前記円筒状カッターに、流体は通過できるが切り屑は流通不能なフィルタが設けられている請求項１ないし４の何れかに記載の不断水切断装置における切り屑回収装置。
【発明の詳細な説明】
【０００１】
【発明の属する技術分野】
本発明は、流体管を密封ハウジングで覆って不断水状態で該流体管を円筒状カッターで切断する不断水切断装置における切り屑回収装置に関する。
【０００２】
【従来の技術】
図７は従来の流体管を密封状態で切断する不断水切断装置における切り屑排出手段を示す断面図であり、密封ハウジング０１は給水本管Ｐを覆う添設管部０２と、上下方向に突設した穿孔筒部０３と、分岐管Ｔと接続する分岐筒部０４から成り、円筒状カッターＣを有する穿孔機０５を穿孔筒部０３に沿って下降させることにより、給水本管Ｐの一部が切断片Ｒとして切断される。そして、切断中に生じた切り屑は穿孔筒部０３の下方に蓄積され、これら切り屑は止水弁０６を開くことにより、排水管０７を介して外部に排出することができる。
【０００３】
【発明が解決しようとする課題】
しかしながら、このような従来の切り屑回収手段は、切り屑回収のために排水管０７や止水弁０６を設けなくてはならずコストが掛かるだけでなく、切断後に排水するタイミングを見計らって止水弁０６を開閉する手間を要した。しかも、流体流により排出するようにしているため、穿孔筒部０３の下方に蓄積されている切り屑のうち軽いものは舞い上がってしまい、離散してしまう問題があった。
【０００４】
本発明は、上記課題に鑑みてなされたもので、切断中に捕獲した切り屑を切断終了時に離散させることなく確実かつ容易に外部に取り出すことができる不断水切断装置における切り屑回収装置を提供することを目的としている。
【０００５】
【課題を解決するための手段】
上記課題を達成するために、本発明の不断水切断装置における切り屑回収装置は、流体管を密封ハウジングで覆って不断水状態で該流体管を円筒状カッターで切断する不断水切断装置における切り屑回収装置であって、前記流体管切断終了時に位置する前記円筒状カッターが、その先端近傍部で、前記密封ハウジングに配置した切り屑用受け皿を保持することを特徴としている。
この特徴によると、流体管切断終了時に円筒状カッターにより切り屑用受け皿を保持し取り出すことで、切断中に切り屑用受け皿内に捕獲した切り屑を、離散させることなく外部に取り出すことができる。
【０００６】
本発明の不断水切断装置における切り屑回収装置は、前記切り屑用受け皿が、前記密封ハウジング底面に対し略水平方向に不動に載置されていることが好ましい。
このようにすれば、略水平方向に不動に切り屑用受け皿が載置されているので、円筒状カッターが切り屑用受け皿を正確な位置でとらえることができる。
【０００７】
本発明の不断水切断装置における切り屑回収装置は、前記切り屑用受け皿は、少なくとも切断終了後は該円筒内面より中心方向に向かって突出する少なくとも２本以上の保持片で保持されることが好ましい。
このようにすれば、切断終了後に前記切り屑用受け皿を保持片で確実に保持、回収できる。
【０００８】
本発明の不断水切断装置における切り屑回収装置は、前記切り屑用受け皿は、前記円筒状カッター内周面に形成したリング状溝が、前記切り屑用受け皿の外周面に設けた弾性リング体と係合することで保持されることが好ましい。
このようにすれば、円筒状カッターには、保持具としてリング状溝が形成されているだけであるから、切断作業時において何等抵抗となることなくスムーズに回転運動が行える。
【０００９】
本発明の不断水切断装置における切り屑回収装置は、前記円筒状カッターに、流体は通過できるが切り屑は流通不能なフィルタが設けられていることが好ましい。
このようにすれば、流体の流れを確保すると同時に、前記円筒状カッターに取り込んだ切り屑をそのカッターの下部に配置した切り屑用受け皿に蓄積できる。
【００１０】
【発明の実施の形態】
以下、本発明の不断水切断装置における切り屑回収装置の一実施形態について、図１〜３を参照して説明する。図１は不断水切断装置における切り屑排出手段を示す断面図、図２は図１のＡ部拡大断面図であり、図３は図１のＢ部拡大断面図である。
【００１１】
図１において、１は密封ハウジングを示しており、密封ハウジング１は、既設流体管である給水本管Ｐを覆う添設管部２と、上下方向に突設した穿孔筒部３と、分岐管Ｔと接続する分岐筒部４から成り、穿孔機５の下方に回転駆動可能に取り付けられた円筒状のカッターＣを穿孔筒部３に沿って下降することにより、給水本管Ｐの一部が切断片Ｒとして切断されるようになっている。
【００１２】
そして、穿孔筒部３下方のカッターＣの回転中心軸線上には、切り屑用受皿１０が支持されており、この切り屑用受皿１０は、カッターＣによる切断加工が終了して下降端にあるとき、カッターＣの刃先Ｃ２の内周に近接して挿嵌された状態で位置決め保持されている。
【００１３】
すなわち、穿孔筒部３の下面を密閉する底板３ａの中心部上面には、先端がテーパ状に形成された所定高さの支持軸８が突設しいる。この支持軸８には切り屑用受皿１０の下面中央より下方に突設した支持筒１２が挿嵌されており、これにより切り屑用受皿１０は、密封ハウジング底面に対して所定高さ位置に位置決めされて略水平方向に不動に載置されることになる。
【００１４】
切り屑用受皿１０は、浅底筒状に形成されてその底板１０ａには同一円周上に複数の貫通孔１０ｂが形成されており、これらの貫通孔１０ｂには少なくともカッターＣによって加工された給水本管Ｐの切り屑が通過不能なメッシュのフィルタとなる金網１１が張設されている。
【００１５】
一方、カッターＣは、図２に示すように、筒体側壁の円周上に複数の貫通口Ｃ１が形成されており、これら貫通口Ｃ１には、切り屑用受皿１０の貫通孔１０ｂに張設されたフィルタとなる金網１１と同種の金網６が取付けられている。
【００１６】
更に、カッターＣの円周下端に形成される刃先Ｃ２の近傍には、図３に示すように円筒内壁の対向面に縦長の溝Ｃ３が形成されており、これら縦長の溝Ｃ３内には保持片として構成される係止爪１４が完全に収まるように、その下端が枢軸１５により溝Ｃ３内に枢動可能に枢着されている。
【００１７】
また、係止爪１４は、板状に形成されて枢軸１５に枢着された枢着部からその先端の支持部は約９０度捻れており、その先端は捻れコイルばねＴ１によりカッターＣの内部に中心方向に向かって突出するように付勢されている。
【００１８】
従って、カッターＣによって給水本管Ｐを切断する際に、係止爪１４が給水本管Ｐの切断箇所を通過するときに、給水本管Ｐの切断箇所近傍の内外周面との当接により、捻れ面に案内されて捻れコイルばね１５の付勢力に抗して溝Ｃ３内に完全に収容されるので、給水本管Ｐの切断箇所を通過することができるようになっている。
【００１９】
次に、上記のように構成された切り屑回収装置の作用に付き、図１〜３を参照して説明する。
【００２０】
先ず、図１に示す穿孔機５を駆動させることで、円筒状のカッターＣは、所定の切削速度で回転駆動されつつ穿孔筒部３に沿って下降送りが開始され、カッターＣ下端の刃先Ｃ２によって給水本管Ｐの上部側面から切断加工が開始される。
【００２１】
穿孔機５による所定の送り速度でカッターＣを下降移動させるに従って切断される給水本管Ｐの切断部から外部に漏れ出した給水本管Ｐ内の水は、密封ハウジング内ないし分岐管Ｔに流出する。
【００２２】
同時に切断時にカッターＣ内で発生した切り屑は、円筒状のカッターＣ内下方の密封ハウジング３底板３ａに突設された支持軸８に略水平方向に不動に支持されて待機している切り屑用受け皿１０内に収容される。
【００２３】
また、穿孔筒部３乃至カッターＣ内に流入した水が、複数の貫通口Ｃ１を通して再び給水本管Ｐ内に逆流した場合に、カッターＣ内の水道水中に浮遊している切り屑は金網６によって給水本管Ｐへの流出が阻止される。
【００２４】
更に、カッターＣによる切断加工が行なわれる際は、係止爪１４は捻れコイルばねＴ１の付勢力でカッターＣの内側に略水平に突出した状態となる場合があるが、このとき給水本管Ｐの切断部を通過する際は係止爪１４は、その捩れ面が給水本管Ｐの内外面に案内されて縦長の溝Ｃ３の内部に完全に収容される。
【００２５】
次いで、カッターＣによる切断加工が完了した後更にカッターＣを下降すると、刃先Ｃ２の内周壁が切り屑用受皿１０の外周に近接した状態で通過し、次いでカッターＣ内壁の一対の係止爪１４が通過した直後に係止爪１４は、捻れコイルばねＴ１の付勢力により溝Ｃ３内底面との当接で水平状態に保持される。
【００２６】
次に、穿孔機５の作用でカッターＣが引き上げられるが、この際切り屑用受皿１０は、一対の係止爪１４によって切り屑用受皿１０の下面が支持されてカッターＣと共に引き上げられ、同時に切断された給水本管Ｐの切断片ＲもカッターＣと共に引き上げられて回収される。
【００２７】
これによって一連の不断水切断装置による加工完了し、切断時に生じた切り屑ないし給水本管Ｐの切断片Ｒは切り屑用受皿１０によって回収される。
【００２８】
従って、上記の実施形態によれば、給水本管Ｐの切断終了時に円筒状カッターＣにより切り屑用受け皿１０を保持し取り出すことで、切断中に切り屑用受け皿１０内に捕獲した切り屑を、離散させることなく外部に取り出すことができ、同時に切断された給水本管Ｐの切断片も切り屑用受け皿１０によって外部に取り出すことができる。
【００２９】
また、切り屑用受け皿１０が、密封ハウジング３の底板３ａに対し略水平方向に不動に載置されているので、切り屑用受け皿１０を円筒状カッターＣの内部に正確な位置でとらえることができる。
【００３０】
更に、切り屑用受け皿１０は、円筒状カッターＣの内面より中心方向に向かって突出する２本の係止爪１４で保持されるように構成されているので、切り屑用受け皿１０を確実に保持し、回収することができる。
【００３１】
次に、不断水切断装置における切り屑回収装置の他の実施形態に付き図４及び図５を参照して説明する。尚、上記の実施形態に係る部材と同一構成部材については同一符号を付して重複する説明を省略する。図４は係止爪が設けられた円筒状カッターの水平断面図であり、図５は切り屑用受け皿が係止爪により支持されている状態を示す円筒状カッターの縦断面図である。
【００３２】
符号１６で示される板状の係止爪１６は、その一端が枢軸２０によって水平に枢動可能に枢着されており、外力が作用した際にカッターＣの円筒内壁の対向面に円周に沿って形成された一対の溝１８内に完全に収まるように構成されている。
【００３３】
そしてこの係止爪１６は、上記実施形態と同様に捻れコイルばねＴ２によりカッターＣ内部の中心方向に向かって突出するよう付勢されている。なお、本実施形態に係る係止爪１６は、上記実施形態と同じ作用、効果が得られるため、重複する説明を省略する。
【００３４】
次に、切り屑回収装置の更に他の実施形態に付き図６の（ａ）を参照して説明する。図６の（ａ）は切り屑回収装置の更に他の実施形態に係る切り屑用受け皿が係合保持されている状態を示す円筒状カッターの縦断面図である。
【００３５】
図に示す符号２２は、例えば弾性変形可能なゴム等の材質で円形断面を有する弾性リング体であって、この弾性リング体２２は、切り屑用受皿１０′外周下方のリング状溝２５に保持されており、弾性リング体２２の外周部が切り屑用受皿１０′の外周面より突出するように構成されている。
【００３６】
そして、本実施形態に係る切り屑用受皿１０′は、カッターＣの下降作用で該カッターＣが切り屑用受皿１０′の外周を通過する際に圧縮された弾性リング体２２が、カッターＣの内周面に形成したリング状溝２４に一致すると、その復元力でリング状溝２４に係合するようになっている。
【００３７】
尚、この弾性リング体２２は、切り屑用受皿１０′の自重ないし切り屑用受皿１０′内に収容される切り屑及び給水本管Ｐの一部切断片Ｒの重量を支持することができる保持力を有しているものとする。
【００３８】
従って、上記のように構成された本実施形態に係る切り屑回収装置によれば、円筒状カッターＣには、保持具としてリング状溝２４が形成されているだけであるから、給水本管Ｐの切断作業時においては円筒状カッターＣが切断部を通過する際に何等抵抗となることなくが切断加工をスムーズに行うことができる。
【００３９】
次に、切り屑回収装置の更に他の実施形態に付き図６の（ｂ）を参照して説明する。図６の（ｂ）は切り屑回収装置の更に他の実施形態に係り、切り屑用受け皿が係合保持されている状態を示す円筒状カッターの縦断面図である。
【００４０】
図に示す符号２６は、例えば板ばねで構成された保持片であって、切り屑用受皿１０′′の底板１０ａ近傍の対向する外周面に外方に突出付勢された状態で縦方向に取り付けられている。
【００４１】
これらの保持片２６は、上方部位に傾斜部２６ａが形成されており、その下端部が水平に折曲された係止爪２６ｂが形成されている。
【００４２】
一方、カッターＣの刃先Ｃ２近傍の内周壁面にリング状の係合溝２８が形成されており、カッターＣの下降作用で該カッターＣが切り屑用受皿１０′′を通過する際に保持片２６がカッターＣの内周壁面によって２点鎖線位置まで圧縮され、保持片２６が係合溝２８に達すると保持片２６自身の外方へ拡開する復帰弾性作用で係合溝２８内に侵入する。
【００４３】
次に、カッターＣが上昇すると、係合溝２８内に侵入した保持片２６下端の一対の係止爪２６ｂが係合溝２８の下端に係合することで、切り屑用受皿１０′′を持ち上げることができる。
【００４４】
なお、本実施形態に係る保持片２６は、上記実施形態の弾性リング体２２と同じ作用、効果が得られるため、重複する説明を省略する。
【００４５】
また、上述した実施形態で説明した係止爪１４、１６及び保持片２６は、カッターＣの内面または切り屑用受皿１０の外周面の対向位置に一対配置した構成として説明したが、これに限らず安定に保持できる配置とするために一対に限定されるものではない。
【００４６】
【発明の効果】
本発明は以下の効果を奏する。
【００４７】
（ａ）請求項１項の発明によれば、流体管切断終了時に円筒状カッターにより切り屑用受け皿を保持し取り出すことで、切断中に切り屑用受け皿内に捕獲した切り屑を、離散させることなく外部に取り出すことができる。
【００４８】
（ｂ）請求項２項の発明によれば、略水平方向に不動に切り屑用受け皿が載置されているので、円筒状カッターが切り屑用受け皿を正確な位置でとらえることができる。
【００４９】
（ｃ）請求項３項の発明によれば、切断終了後に前記切り屑用受け皿を保持片で確実に保持、回収できる。
【００５０】
（ｄ）請求項４項の発明によれば、円筒状カッターには、保持具としてリング状溝が形成されているだけであるから、切断作業時において何等抵抗となることなくスムーズに回転運動が行える。
【００５１】
（ｅ）請求項５項の発明によれば、流体の流れを確保すると同時に、前記円筒状カッターに取り込んだ切り屑をそのカッターの下部に配置した切り屑用受け皿に蓄積できる。
【図面の簡単な説明】
【図１】本発明の一実施形態に係る切り屑回収装置であって、切り屑排出手段を示す断面図である。
【図２】図１のＡ部拡大断面図である。
【図３】図１のＢ部拡大断面図である。
【図４】本発明の不断水切断装置における切り屑回収装置の他の実施形態に係り、係止爪が設けられた円筒状カッターの水平断面図である。
【図５】同じく、切り屑用受け皿が係止爪により支持されている状態を示す円筒状カッターの縦断面図である。
【図６】本発明の不断水切断装置における切り屑回収装置の更に他の実施形態に係り、（ａ）は切り屑回収装置の更に他の実施形態に係る切り屑用受け皿が係合保持されている状態を示す円筒状カッターの縦断面図、（ｂ）は切り屑回収装置の更に他の実施形態に係り、切り屑用受け皿が係合保持されている状態を示す円筒状カッターの縦断面図である。
【図７】従来の流体管を密封状態で切断する不断水切断装置における切り屑排出手段を示す断面図である。
【符号の説明】
１　　　　　　　　　　　　密封ハウジング
２　　　　　　　　　　　　添設管部
３　　　　　　　　　　　　密封ハウジング
３ａ　　　　　　　　　　　底板
３　　　　　　　　　　　　穿孔筒部
４　　　　　　　　　　　　分岐筒部
５　　　　　　　　　　　　穿孔機
６　　　　　　　　　　　　金網（フィルタ）
８　　　　　　　　　　　　支持軸
１０　　　　　　　　　　　切り屑用受皿
１０ａ　　　　　　　　　　底板
１０ｂ　　　　　　　　　　貫通孔
１１　　　　　　　　　　　金網
１２　　　　　　　　　　　支持筒
１４　　　　　　　　　　　係止爪
１５　　　　　　　　　　　枢軸
１６　　　　　　　　　　　係止爪
１８　　　　　　　　　　　溝
２０　　　　　　　　　　　枢軸
２２　　　　　　　　　　　弾性リング体
２４、２５　　　　　　　　リング状溝
２６　　　　　　　　　　　保持片
２６ａ　　　　　　　　　　傾斜部
２６ｂ　　　　　　　　　　係止爪
２８　　　　　　　　　　　係合溝
Ｃ　　　　　　　　　　　　円筒状カッター
Ｃ１　　　　　　　　　　　貫通口
Ｃ２　　　　　　　　　　　刃先
Ｃ３　　　　　　　　　　　溝
Ｐ　　　　　　　　　　　　給水本管
Ｒ　　　　　　　　　　　　切断片
Ｔ　　　　　　　　　　　　分岐管
【図１】
2004036729.tif 000003
【図２】
2004036729.tif 000004
【図３】
2004036729.tif 000005
【図４】
2004036729.tif 000006
【図５】
2004036729.tif 000007
【図６】
2004036729.tif 000008
【図７】
2004036729.tif 000009